(57)【要約】【課題】            ソフトダーツ競技とハードダーツ競技を同一の場所で行うことを課題とする。【解決手段】        ソフトダーツゲーム装置10の筐体11からソフトダーツボード20を取外した後に、該ソフトダーツゲーム装置10の筐体11に取付けられ、手前側にはハードダーツボード１を取付けることが可能な手前面43が形成され、該手前面43には前記ソフトダーツボードの中心位置と同位置を示す目印44が付けられたことを特徴とするハードダーツボード取付け部材40である。【選択図】          図12
2009022309.tif 000002
【特許請求の範囲】
【請求項１】
ソフトダーツゲーム機の筐体からソフトダーツボードを取外した後に、該ソフトダーツゲーム機の筐体に取付けられ、手前側にはハードダーツボードを取付けることが可能な平面が形成され、該平面には前記ソフトダーツボードの中心位置と同位置を示す目印が付けられたことを特徴とするハードダーツボード取付け部材。
【請求項２】
前記ハードダーツボード取付け部材の手前面に、ハードダーツボードを取付けた際に、ハードダーツボードを安定させるとともに、ハードダーツボードから前記ハードダーツボード取付け部材に伝わる衝撃をやわらげる緩衝部材が設けられたことを特徴とする請求項１記載のハードダーツボード取付け部材。
【請求項３】
ソフトダーツゲーム機の筐体に取付けられたソフトダーツボードの手前面と、前記ハードダーツボード取付け部材によりソフトダーツゲーム機に取付けられたハードダーツボードの手前面との水平距離が、ソフトダーツ競技のルールで規定されたソフトダーツボードの手前面からスローライン迄の水平距離と、ハードダーツ競技のルールで規定されたハードダーツボードの手前面からスローライン迄の水平距離の差と、同じ距離になるように構成されたことを特徴とする請求項１または請求項２記載のハードダーツボード取付け部材。
【発明の詳細な説明】
【技術分野】
【０００１】
本発明は、ソフトダーツ競技とハードダーツ競技とを場所を変えずに行なうことができるハードダーツボード取付け部材に関するものである。
【背景技術】
【０００２】
ダーツ競技には、先端が鋭利な金属製ティップを有するハードダーツをハードダーツボードに向けて投げるハードダーツ競技（特許文献１参照）と、先端が丸くなって弾性に富んだプラスチック製ティップを有するソフトダーツをソフトダーツボードに向けて投げるソフトダーツ競技とがある。
【０００３】
これらダーツボードは、後述するように的の中心を基準位置として壁面等に取付けられ、取付け方法としては、ダーツボードの裏側に設けられた中心を示す目印に皿ネジを螺着し、皿ネジの頭部と係合する切り欠きを有する取付け具を壁面等の計測した位置に設け、皿ネジと取付け具とを係合させることによってダーツボードを壁面等に取付ける方法が一般的であった。
【０００４】
ハードダーツ競技規則によれば、ハードダーツボード１の中心が鉛直壁面５上で水平床面６に対しＨ＝173cmの高さ（図１参照）に位置するように、ハードダーツボード１の設置高さが規定され、さらに、ハードダーツボード１の手前面１ａより鉛直に下ろして水平床面６と交わった箇所から手前側に237cm離れた距離（以降、ハードダーツ水平距離Ｌｈとする）の水平床面６上に、鉛直壁面５と平行にスローライン７の鉛直壁面５に近い縁が位置するように規定されている。
【０００５】
これに対して、ソフトダーツ競技規則によれば、図３に図示されるように、ソフトダーツボード20の中心高さはハードダーツボード１の中心高さと同一で、ソフトダーツボード20の手前面20ａより鉛直に下ろして水平床面６と交わった箇所からスローライン７迄の244cm離れた距離（以降、ソフトダーツ水平距離Ｌｓとする）に規定されている。
【０００６】
また、ハードダーツボード１は一般的にサイザル麻の繊維を圧縮してその外周をスチールバンドで締め付けたもので、その外径は45.5cm、厚さ3.7cm、また標的部分は、図２に示されているように、直径6.35、15.9、99、107、162、170、226.5mmのリング状スパイダー２が同心円状に配設されるとともに、これらリング状スパイダー２の中心から放射方向に指向した20本の放射状スパイダー３は、隣接する放射状スパイダー３に対して18°の中心角度をなして配設されることがハードダーツの競技に規定されている。
【０００７】
さらに、ソフトダーツボード20にはソフトダーツの合成樹脂製のティップ（先端部）が突き刺さることのできる多数の孔が形成されたボードであり、その外径および得点エリアを分ける同心円の半径に規定はなく、ハードダーツボードの外径および得点エリアを分ける同心円の半径と異なっている場合も多く、従来では、ハードダーツ競技を行なう場所と、ソフトダーツを行なう場所が異なっていた。
【０００８】
【特許文献１】特開２０００−３２５６５０号公報
【特許文献２】特開２００４−０６５９７３号公報
【発明の開示】
【発明が解決しようとする課題】
【０００９】
本発明は、ハードダーツ競技とソフトダーツ競技とを、場所を変えずに同じ場所で行なうことができる装置を提供することを課題としている。
【課題を解決するための手段】
【００１０】
請求項１記載の発明は、ソフトダーツゲーム機の筐体からソフトダーツボードを取外した後に、該ソフトダーツゲーム機の筐体に取付けられ、手前側にはハードダーツボードを取付けることが可能な平面が形成され、該平面には前記ソフトダーツボードの中心位置と同位置を示す目印が付けられたことを特徴とするハードダーツボード取付け部材である。
【００１１】
請求項２記載の発明は、前記ハードダーツボード取付け部材の手前面に、ハードダーツボードを取付けた際に、ハードダーツボードを安定させるとともに、ハードダーツボードから前記ハードダーツボード取付け部材に伝わる衝撃をやわらげる緩衝部材が設けられたことを特徴とする請求項１記載のハードダーツボード取付け部材である。
【００１２】
請求項３記載の発明は、ソフトダーツゲーム機の筐体に取付けられたソフトダーツボードの手前面と、前記ハードダーツボード取付け部材によりダーツゲームに取付けられたハードダーツボードの手前面との水平距離が、ソフトダーツ競技のルールで規定されたソフトダーツボードの手前面からスローライン迄の水平距離と、ハードダーツ競技のルールで規定されたハードダーツボードの手前面からスローライン迄の水平距離の差と、同じ距離になるように構成されたことを特徴とする請求項１または請求項２記載のハードダーツボード取付け部材である。
【発明の効果】
【００１３】
請求項１記載の発明においては、ソフトダーツボードがソフトダーツゲーム機に取付けられた状態では、所要のソフトダーツ競技を行なうことができ、また前記ソフトダーツボードをソフトダーツゲーム機より取外して、ハードダーツボード取付け部材を前記ソフトダーツゲーム機に取付けると、前記ソフトダーツボードの中心位置を示す目印が付けられているので、この目印に合わせて前記ハードダーツボード取付け部材の手前側に該ハードダーツボードを取り付けることができ、所要のハードダーツ競技を行なうことができる。
【００１４】
このように、前記ソフトダーツゲーム機にソフトダーツボードと、ハードダーツボード取付け部材およびハードダーツボードを取付け、取外すことにより、場所をかえずに、ハードダーツ競技またはソフトダーツ競技を選択的に行なうことができる。
【００１５】
請求項２記載の発明においては、ハードダーツボードを取付けた際に、ハードダーツボードを安定させるとともに、ハードダーツボードから前記ハードダーツボード取付け部材に伝わる衝撃をやわらげる緩衝部材を介してハードダーツボード取付け部材にハードダーツボードが取付けられているので、ハードダーツボードが飛来してくるダーツの衝撃を受けても、該ハードダーツボードは、安定してその位置、向きを変えずに保持される。
【００１６】
請求項３記載の発明では、ソフトダーツゲーム機にソフトダーツボードが取付けられた状態では、ソフトダーツ手前面から床に引かれたスローラインまでの水平距離が、ソフトダーツ競技に規定されている距離と合致しており、該スローラインを使用してソフトダーツ競技を行うことができる。
【００１７】
また、前記ソフトダーツボードをソフトダーツゲーム機より取外して、ハードダーツボード取付け部材を前記ソフトダーツゲーム機に取付け、ハードダーツボードを取付けると、前記ソフトダーツボード手前面からハードダーツボード手前面までの距離が、ソフトダーツ競技のルールで規定されたソフトダーツボードの手前面からスローライン迄の水平距離と、ハードダーツ競技のルールで規定されたハードダーツボードの手前面からスローライン迄の水平距離の差と、同一の距離になっているので、ハードダーツ競技を行う際にも、前記したソフトダーツ競技で使用したスローラインを使用して競技を行なうことがきる。
【００１８】
同一のスローラインを使用して競技することができるので、ソフトダーツ競技とハードダーツ競技の切り替えを容易に行なうことができ、切り替え時間を短縮することができる。
【００１９】
また、スローラインを２本引く必要が無いので、競技の際に誤ったスローラインでダーツを投げてしまう心配が無いので競技者はゲームに集中することができ、さらにダーツを設置するスペースを有効に利用することができる。
【発明を実施するための最良の形態】
【００２０】
以下、図２ないし図１２に図示された本願請求項１および請求項３記載の発明の一実施形態について説明する。
【００２１】
ソフトダーツゲーム機10は図５に示されるように、ソフトダーツボード20、該ソフトダーツボード20を搭載する筐体11、該筐体11の上部左側に蝶番12により開閉自在に蝶着されている前面部13、前記筐体11の上部に配設されゲームの選択表示および得点表示等がなされる表示装置14、およびダーツゲームの選択および各プレイヤーの得点を計算することができる図示されないコンピュータから構成されており、筐体11の中央手前面には、コイン投入口15と、ダーツ競技の種類を選択等の入力を行う入力ボタンスイッチ16が設けられており、コイン投入口15に所定のメダルまたは硬貨を投入し、所要の入力ボタンスイッチ16を押せば、所望の種類のダーツ競技を選択して行うことができるようになっている。
【００２２】
また、図３に図示されるように、ソフトダーツゲーム機10にはその中心部が水平床面６よりＨ＝173cmになるようにソフトダーツボード20が配設され、ソフトダーツボード20の手前面21からソフトダーツ水平距離Ｌｓ＝244cmを存してスローライン７のハードダーツボード１に近い縁が位置するように、スローライン７が水平床面６上に引かれている。
【００２３】
さらに図４に示されるように、前記ソフトダーツボード20は、ダーツを投げる標的となる標的部分21、該標的部分21を取り囲むように所定幅を存して同心円状に形成された外周領域部分27、さらに該外周領域部分の外側を取り囲むように配置された得点が表記された得点領域表示部分28からなっている。
【００２４】
前記標的部分21は、六本のリング状スパイダー22が同心円状に配設されるとともに、これらリング状スパイダー22の中心から２番目のリング状スパイダーより放射方向に指向した20本の放射状スパイダー23は、隣接する放射状スパイダー23に対して18°の中心角度をなして配設され、これらリング状スパイダー22と放射状スパイダー23とで囲まれたエリア24に区切られている。
なお、ソフトダーツ競技においては、各リング状スパイダー12の直径の規定はないが、例えば、外側のものから直径39.2、35.4、24.8、21.0、4.4、1.6cmなどとしてもよい。
【００２５】
さらに前記標的部分21は、図６に示されているように、枠部25と多数のブロック26で構成されており、枠部25は前述したエリア24に区分けする桟25ａと鍔状部25ｂとからなり、該桟25ａおよび鍔状部25ｂで囲まれている前述したエリア24に、その形状に合致したブロック26がそれぞれ嵌装されている。
【００２６】
また、ブロック26の手前面には、図示されないソフトダーツ用の合成樹脂製ティップ（先端部）が突き刺さることができる孔26ａが多数形成され、さらに前記外周領域部分27にも前記孔と同様の孔が形成されている。
【００２７】
図６に図示されるように、前記標的部分21は、ネジ31により取付板30に一体に取付けられており、前記標的部分21と取付板30の間には、ダーツが刺さったことを各エリア毎に検出するセンサー（図示されず）が設けられた基盤32が配設され、該基盤32から延びたケーブル33と前記コンピュータから延びたケーブル34はコネクタ35を介して取外し可能に接続されており、前記基盤32に設けられた前記センサーの検出信号は、前記コンピュータに送られ、この得点が筐体11の上方の表示装置14に表示されるようになっている。
【００２８】
また、図５に図示されるように、前記前面部13は蝶番12を介して開閉自在に前記筐体11の上部前側に枢着されており、さらに、前記前面部13には前記ソフトダーツボード20の前記標的部分21が嵌合されるように開口された円形状の開口部13ａが設けられており、さらに、前記前面部13の前面には、前記開口部13ａを取り囲むように外周領域部分27が取付けられ、さらに該外周領域部分27を囲むように得点領域表示部分28が取付けされている。
【００２９】
さらにまた、図１０に示されるように、前記前面部13の後面には前記開口部13ａ周囲の上下左右４箇所に、前面部13に対して垂直方向でかつ後方に向ってボルト36が突設され、該ボルト36は前記取付板30に穿孔された孔30ａを貫通し、取付板30より後方へ突出したボルト36にナット37が螺着されることにより、前記ソフトダーツボード20の標的部分21は前面部13に一体に取付けられており、このように標的部分21が前面部13に一体に取付けられている状態では、該標的部分21の手前面21ａおよび前記外周領域部分27の手前面と前記得点領域表示部分28の手前面が略同一の平面になるように構成されている。
【００３０】
さらに、前記ソフトダーツゲーム機10よりソフトダーツボード20の標的部分21を取外した後に該ソフトダーツゲーム機10に設置されるハードダーツボード取付け部材40（図９参照）は、前記前面部13の開口部13ａを覆うことのできる板状体であって、該ハードダーツボード取付け部材40には前記ボルト36が貫通することのできる孔41が前記ボルト36の位置に合致して形成されている。
【００３１】
また、そのハードダーツボード取付け部材40の前面には、前記前面部13の開口部13ａ（図５、図７参照）に嵌合可能な形状の突状部42（図９参照）が設けられており、その突状部42の手前面43は平面に形成され、前記ソフトダーツボード20の中心から該ソフトダーツボード20の手前面に対し直交した手前側方向へ延長する線が、該ハードボード取付け部材40を貫通した手前面43の箇所に凹んだ目印44が付けられている。
【００３２】
さらに、前記ハードダーツボード１の中心から該ハードダーツボード１の手前面１ａに直交して奥側方向へ貫通した線が、ハードダーツボード１の奥側１ｂ面と交差する箇所に図示されない皿ネジが一体に螺着され、また該皿ネジの皿上頭部が係脱自在に係合しうる切欠きを有するハードダーツボード取付け金具（図示されず）が、前記目印44に基いてハードダーツボード取付け部材40の手前面43に装着されており、前記ハードダーツボード１と前記ソフトダーツボード２のそれぞれの中心位置の床からの高さを揃えることができるようになっている。
【００３３】
さらにまた、ソフトダーツボード20の標的部分21がソフトダーツゲーム機10の前面部13に取付けられている状態における標的部分21の手前面21ａから、ハードダーツボード取付け部材40がソフトダーツボードゲーム機10の前面部13に取付けられ、さらにハードダーツボード1が取付けられた状態におけるハードダーツボード1の手前面１ａまでの距離Ｄは、ソフトダーツ水平距離Ｌｓとハードダーツ水平距離Ｌｈまでの距離の差に等しくなるように設定されており（図11、図12参照）、すなわち、
Ｄ＝Ｌｓ−Ｌｈ＝244cm−237cm＝７cm
となるように、Ｄは設定されている。
【００３４】
図２ないし図１２に図示の実施形態は、前述したように構成されているので、図３に示されているように、ソフトダーツゲーム機10のソフトダーツボード20の手前面20ａから水平面４上に引かれたスローライン７までの水平距離が244cmとなっているため、該スローライン７を利用してソフトダーツ競技を行うことができる。
【００３５】
また、ソフトダーツ競技からハードダーツ競技に切替える際には、前記ソフトダーツゲーム機10の前面部13を開いて前記ナット37を取外し、前記基盤32から延びているケーブル33とコンピュータから延びているケーブル34を接続している前記コネクタ35の接続を解除し、前記取付板30と該取付板30に取付けられている基盤32および標的部分21を、前記ソフトダーツゲーム機10の前面部13から取り外し、その後、前記ハードダーツボード取付け部材40の孔41を前記ボルト36が貫通し、前記前面部13の開口部13ａに前記ハードダーツボード取付け部材40の突状部42を嵌合するように、前面部13の後方よりハードダーツボード取付け部材40を取付け、該ボルト36に前記ナット37を螺着することにより、ハードダーツボード取付け部材40はソフトダーツゲーム機10の手前面13に一体に装着し、該ハードダーツボード取付け部材40の手前面43に取付けられたハードダーツボード取付け金具の切欠きに、ハードダーツボード１の奥面１ｂから突出した皿ネジの皿状頭部を係合すれば、図11に図示するようにハードダーツボード取付け部材40の手前側にハードダーツボード１を規定に適合する箇所に正確かつ容易に取付けることができ、ソフトダーツ競技に利用されたスローライン７からダーツを投げてハードダーツ競技を行なうことができる。
【００３６】
このように、場所を変えずに、ソフトダーツ競技からハードダーツ競技へ短時間で切替えることができる。
【００３７】
また、ハードダーツ競技からソフトダーツ競技に切替える際には、前記ハードダーツボード取付け部材40から前記ハードダーツボード１を取り外し、さらに該ハードダーツボード取付け部材40をソフトダーツゲーム機10の前面部13より取外し、その後前記取付板30、基盤32および標的部分21を該ソフトダーツゲーム機10の前面部13に取付け、コネクタ35を接続すると、ソフトダーツゲーム機10の操作ができるようになり、ハードダーツ競技からソフトダーツ競技への切替えも容易に行うことができる。
【００３８】
さらに、図１２において、ソフトダーツボード20の標的部分21がソフトダーツゲーム機10の前面部13に取付けられている状態における標的部分21の手前面21ａから、ハードダーツボード取付け部材40がソフトダーツボードゲーム機10の前面部13に取付けられ、該ハードダーツボード取付け部材40にハードダーツボード1が取付けられた状態におけるハードダーツボード1の手前面１ａまでの距離Ｄは、ソフトダーツ水平距離Ｌｓとハードダーツ水平距離Ｌｈまでの距離の差に等しくなるように設定されているので、同一のスローライン７を使用してソフトダーツ競技とハードダーツ競技を行うことができるので、あらたにスローラインを引く必要が無く、ソフトダーツ競技とハードダーツ競技の切り替えを容易に行なうことができ、切り替え時間を短縮することができる。
【００３９】
また、スローライン７から、ソフトダーツボード20の標的部分21の手前面21ａ迄の距離が規定の投擲距離に設定され、かつ同一のスローライン７からハードダーツボード１の手前面１ａ迄の距離も規定の投擲距離に設定されているため、同一のスローライン７から種類の異なるダーツ競技を行なうことができるため、競技の際に誤ったスローライン７からダーツを投げてしまう心配が無く、競技者はゲームに集中することができ、さらにダーツを設置するスペースを有効に利用することができる。
【００４０】
なお、前記目印44は凹ませたものであったが、凸状に形成された目印や、前記ハードダーツボード取付け部材40の手前面43に印刷された目印などであってもよい。
【００４１】
また他の実施形態として、図13および図14に示すように、ハードダーツボード１を手前面43に取り付ける際に、ソフトダーツゲーム機10の得点領域表示部分28とその周囲を覆う、ゴム等を材質とする板またはシート状の遮蔽部材45を、突出部42の外周部に取り付けてもよく、図８のように得点の表記が重複することを防ぐとともに、ソフトダーツゲーム機10の得点領域表示部分28において、アウトボードしたダーツの針による損傷を防ぐことができる。
【００４２】
次に、本願請求項１ないし請求項３記載の発明の図15に図示の実施形態について説明する。
【００４３】
図15に図示の実施形態では、前記ハードダーツボード取付け部材40の外周面と略同一の径を有する軟質ゴム製（軟質プラスチック製でも可）の円盤状緩衝板50が、前記ハードダーツボード取付け部材40の手前面43に一体に接合されている。
【００４４】
さらに、ソフトダーツボード20の標的部分21がソフトダーツゲーム機10の前面部13に取付けられている状態における標的部分21の手前面21ａから、前記円盤状緩衝板50が接合されたハードダーツボード取付け部材40がソフトダーツボードゲーム機10の前面部13に取付けられ該ハードダーツボード取付け部材40にハードダーツボード1が取付けられた状態におけるハードダーツボード1の手前面１ａまでの距離Ｄは、ソフトダーツ水平距離Ｌｓとハードダーツ水平距離Ｌｈとの差と等しい距離に設定されている。
【００４５】
この実施形態では、ハードダーツボード１の奥面１ｂが全面に亘り円盤状緩衝板50を介してハードダーツボード取付け部材40に重ねられるため、ダーツがハードダーツボード１に衝突した衝撃を緩衝し、ハードダーツボード１が安定してその位置を保持することができる。
【００４６】
また、ソフトダーツボード20の標的部分21がソフトダーツゲーム機10の前面部13に取付けられている状態における標的部分21の手前面21ａから、前記円盤状緩衝板50が接合されたハードダーツボード取付け部材40がソフトダーツボードゲーム機10の前面部13に取付けられ該ハードダーツボード取付け部材40にハードダーツボード1が取付けられた状態におけるハードダーツボード1の手前面１ａまでの距離Ｄは、ソフトダーツ水平距離Ｌｓとハードダーツ水平距離Ｌｈとの差と等しい距離に設定されているので、同一のスローライン７を使用してソフトダーツ競技とハードダーツ競技を行うことができる。
【００４７】
なお、緩衝部材は円盤状でなくとも、例えば、ハードボード取付け部材40の手前面43をはみ出さない形状であれば矩形状等であってもよく、また板状でなくとも、例えば前後いずれかの方向へ突出した突起状であってもよい。
【００４８】
また、ハードダーツボード取付け部材40の形状は図９に限られず、ソフトダーツボード20の標的部分21の代わりにハードダーツボードをソフトダーツボード機10に取り付けることができるものであれば、ハードダーツボード取付け部材40は適宜の形状でよい。
【００４９】
さらに、図10、図11、図13、図15におけるそれぞれのソフトダーツボード20の標的部分およびハードダーツボード取付け部材40の前記ソフトダーツゲーム機への取付け態様は、一例であり、他の取付け態様によるものでもよい。
【図面の簡単な説明】
【００５０】
【図１】ハードダーツ競技で規定されるハードダーツボードとスローラインの設置位置関係を図示した側面図である。
【図２】ハードダーツ競技で規定されているハードダーツボードを示した正面図である。
【図３】ソフトダーツ競技で規定されるソフトダーツボードとスローラインの設置位置関係を図示した側面図である。
【図４】ソフトダーツ競技で使用されるソフトダーツボードを示した正面図である。
【図５】本願請求項１および請求項３記載の発明の一実施形態を示したソフトダーツゲーム機の正面図である。
【図６】本願請求項１および請求項３記載の発明の一実施形態に使用されるソフトダーツボードの要部斜視図である。
【図７】図６に図示の実施形態においてハードダーツボード取付け部材を取付けた状態を示した正面図である。
【図８】図６に図示の実施形態においてハードダーツボードを取付けた状態を示した正面図である。
【図９】図７で使用されるハードダーツボード取付け部材を示した斜視図である。
【図１０】図６の要部拡大断面図である。
【図１１】図８の要部拡大断面図である。
【図１２】図８の側面図である。
【図１３】本願請求項１および請求項３記載の発明の他の実施形態における要部拡大断面図である。
【図１４】図13の側面図である。
【図１５】本願請求項１、請求項２および請求項３記載の発明の一実施形態における要部拡大断面図である。
【符号の説明】
【００５１】
１…ハードダーツボード、２…リング状スパイダー、３…放射状スパイダー、４…得点領域表示部分、５…鉛直壁面、６…水平床面、７…スローライン、
10…ソフトダーツゲーム機、11…筐体、12…蝶番、13…前面部、13ａ…開口部、14…表示装置、15…コイン投入口、16…入力ボタンスイッチ、
20…ソフトダーツボード、21…標的部分、21ａ…手前面、22…リング状スパイダー、23…放射状スパイダー、24…エリア、25…枠部、25ａ…桟、25ｂ…鍔上部、26…ブロック、26ａ…孔、27…外周領域部分、27ａ…孔、28…得点領域表示部分、
30…取付板、31…ネジ、32…基盤、33…ケーブル、34…ケーブル、35…コネクタ、36…ボルト、37…ナット、
40…ハードダーツボード取付け部材、41…孔、42…突状部、43…手前面、44…目印、45…遮蔽部材、
50…円盤状緩衝板。
【図１】
2009022309.tif 000003
【図２】
2009022309.tif 000004
【図３】
2009022309.tif 000005
【図４】
2009022309.tif 000006
【図５】
2009022309.tif 000007
【図６】
2009022309.tif 000008
【図７】
2009022309.tif 000009
【図８】
2009022309.tif 000010
【図９】
2009022309.tif 000011
【図１０】
2009022309.tif 000012
【図１１】
2009022309.tif 000013
【図１２】
2009022309.tif 000014
【図１３】
2009022309.tif 000015
【図１４】
2009022309.tif 000016
【図１５】
2009022309.tif 000017